(57)【特許請求の範囲】
【請求項１】
床面と天井面との間に立設され少なくとも後面が造営物に当接するとともに上下方向に３個の収納部を有した箱本体と、３個の収納部のうち上下の各収納部にそれぞれ設けられ収納部の前面を開閉する扉と、扉を有する各収納部にそれぞれ収納される分電盤とを有し、収納部の後面を覆う背板が造営物との間に箱本体の上下方向の全長に亘る配線スペースを形成するように箱本体の後面よりも前方に位置し、２個の分電盤のうちの一方が電力用であり他方が情報用であって、配線スペースを左右２室の配線室に分離する絶縁材料からなるセパレート板を備え、セパレート板により分離された一方の配線室には少なくとも電力用の分電盤に接続された電源線が配線され、他方の配線室には少なくとも情報用の分電盤に接続された情報線が配線され、配線スペースにおいて箱本体の上下両端部にそれぞれ左右方向の取付桟が配設され、セパレート板は、取付桟に跨る断面形状のガイド部を備えた取付金具が上下両端部にそれぞれ固定され、取付金具を用いて左右方向に移動可能に両取付桟間に取り付けられることを特徴とする分電盤を収納した什器。
【請求項２】
前記配線スペースの上端面と下端面との少なくとも一方に通線用の開口部が形成されていることを特徴とする請求項１記載の分電盤を収納した什器。
【発明の詳細な説明】
【０００１】
【発明の属する技術分野】
本発明は、主として一般住宅の壁面に埋め込んで用いることができる分電盤を収納した什器に関するものである。
【０００２】
【従来の技術】
一般に、集合住宅や戸建て住宅では壁面上部に分電盤を取り付けることが多く、分電盤が壁面から露出する形で施工されている。また、分電盤に収納された主幹開閉器や分岐開閉器のような内器に接続される電源線は天井内または壁内を配線され、天井内の配線であれば壁面に沿って配設される電線管を通して分電盤に電源線が引き込まれ、壁内の配線であれば分電盤の背面側において壁面に形成した開口部を通して分電盤に引き込まれる。
【０００３】
【発明が解決しようとする課題】
ところで、分電盤は宅内の目立たない場所に配置されることが多いが、目立たないとは言え、分電盤が壁面に露出していると室内の外観が損なわれるという問題が生じる。また、天井から分電盤まで電源線を立ち下げるために電線管を用いると電線管が壁面に露出して室内の外観を損なうという問題も生じる。これに対して、電源線を壁内に配線することによって分電盤の背面側において電源線を通す構成では電線管を用いる場合よりも外観が美麗にはなるが、壁内で電源線を立ち上げなければならないから配線工事が面倒であり、配線工事に手間がかかるとともに、配線の保守点検に際して壁内の電源線を扱うことが難しく保守点検に対応しにくいという問題が生じる。
【０００４】
本発明は上記事由に鑑みて為されたものであり、その目的は、分電盤によって室内の外観が損なわれるのを防止し、かつ電線管を用いたり壁内に配線することなく配線の立ち上げまたは立ち下げを容易に行うことができて配線施工が容易である分電盤を収納した什器を提供することにある。
【０００５】
【課題を解決するための手段】
請求項１の発明は、図１、図１５に示すように、床面ＦＬと天井面ＣＬとの間に立設され少なくとも後面が造営物ＷＬに当接するとともに上下方向に３個の収納部２ａ〜２ｃを有した箱本体１と、３個の収納部２ａ〜２ｃのうち上下の各収納部２ａ，２ｃにそれぞれ設けられ収納部２ａ，２ｃの前面を開閉する扉２１ａ，２１ｃと、扉２１ａ，２１ｃを有する各収納部２ａ，２ｃにそれぞれ収納される分電盤３，４とを有し、収納部２ａ〜２ｃの後面をそれぞれ覆う背板２２ａ〜２２ｃが造営物ＷＬとの間に箱本体１の上下方向の全長に亘る配線スペースＳＰを形成するように箱本体１の後面よりも前方に位置し、２個の分電盤３，４のうちの一方が電力用であり他方が情報用であって、配線スペースＳＰを左右２室の配線室Ｒｐ，Ｒｉに分離する絶縁材料からなるセパレート板５を備え、セパレート板５により分離された一方の配線室Ｒｐには少なくとも電力用の分電盤３に接続された電源線Ｌｐが配線され、他方の配線室Ｒｉには少なくとも情報用の分電盤４に接続された情報線Ｌｉが配線され、配線スペースＳＰにおいて箱本体１の上下両端部にそれぞれ左右方向の取付桟６が配設され、セパレート板５が、取付桟６に跨る断面形状のガイド部８ａを備えた取付金具８が上下両端部にそれぞれ固定され、取付金具８を用いて左右方向に移動可能に両取付桟６間に取り付けられることを特徴とする。この構成によれば、床面ＦＬと天井面ＣＬとの間に立設される箱本体１の上部および下部に分電盤３，４を収納するとともに、分電盤３，４を収納した収納部２ａ，２ｃには扉２１ａ，２１ｃを設けて分電盤３，４を隠しているから、分電盤３，４が室内に露出することがなく、室内の外観を保つことができる。しかも、分電盤３，４の操作に際しては扉２１ａ，２１ｃを開けばよいから、分電盤３，４の操作性を損なうことがない。加えて、床面と天井面とのいずれかに近い収納部２ａ，２ｃに分電盤３，４が収納されていることによって、天井配線または床下配線と分電盤３，４との距離を短くすることができ配線の引き回しが容易になる。さらに、収納部２ａ〜２ｃの背板２２ａ〜２２ｃが造営物ＷＬとの間に箱本体１の上下方向の全長に亘る配線スペースＳＰを形成しているから、分電盤３，４に接続する配線を配線スペースＳＰに収納することによって、配線の立ち上げまたは立ち下げを容易に行うことができるとともに、配線が室内側に露出することがなく、美麗な外観に仕上げることができる。なお、請求項１における分電盤３，４は、電力用の分電盤３のみを含むのではなく、情報用の分電盤４をも含む。したがって、宅内に引き込まれる電源線と情報線とをともに一箇所で集中的に管理することが可能になる。
【０００７】
また、分電盤３に接続された電源線Ｌｐと情報盤４に接続された情報線Ｌｉとをセパレート板５を介して絶縁しているから、配線スペースＳＰの中での電源線Ｌｐと情報線Ｌｉとの混触を防止してクロストークの増加を抑制することができる。
【０００８】
しかも、セパレート板５を取付桟６に対して左右方向の所望位置に取付可能としているから、電源線Ｌｐと情報線Ｌｉとが配線スペースＳＰに占める割合に応じてセパレート板５の位置を調節することによって、電源線Ｌｐと情報線Ｌｉとの配線量の多寡に対応することができる。
【０００９】
請求項２の発明は、請求項１の発明において、前記配線スペースＳＰの上端面と下端面との少なくとも一方に通線用の開口部７が形成されていることを特徴とする。この構成によれば、配線スペースＳＰの内部配線を開口部７に通して天井配線もしくは床下配線と接続することができ、天井配線もしくは床下配線への接続が容易になる。
【００１０】
【発明の実施の形態】
以下に説明する発明の実施の形態では、電力用の分電盤を単に「分電盤３」と呼び、情報用の分電盤を「情報盤４」と呼ぶ。
【００１１】
（参考例）
本参考例は、図１ないし図７に示すように、住宅の壁面ＭＲに埋め込まれる箱本体１を備える。箱本体１を壁面ＭＲに埋め込むことは本発明にとって本質的なことではなく、箱本体１を壁面ＭＲに当接させる形で配置することも可能ではあるが、壁面ＭＲに埋め込むことによって箱本体１の室内への突出量を小さくすることが望ましい。箱本体１は壁面MＲに埋め込んだときに壁面ＭＲからほとんど突出する部分が形成されないように前後方向の厚み寸法が比較的小さく（たとえば、２１０ｍｍ程度）に形成されている。箱本体１を壁面ＭＲに埋め込んだ状態において箱本体１の背面は構造駆体のような造営物ＷＬに当接する。箱本体１は床面ＦＬの上に載置され、箱本体１の上面前端部と天井面ＣＬとの間にはスペーサ１１が配置され、箱本体１と天井面ＣＬとの隙間が埋められる。したがって箱本体１は床面ＦＬと天井面ＣＬとの間で実質的に全長に亘って配置されることになる。
【００１２】
箱本体１は左右一対の側板１２を備え、側板１２の上端間が上板１３を介して連結され、側板１２の下端部間が下板１４を介して連結される。上板１３は側板１２の上端に位置するが、下板１４は床面ＦＬよりも上方に位置し、下板１４の前端部と床面ＦＬとの間には脚板１５が配設され、下板１４と床面ＦＬとの間が塞がれる。上板１３と下板１４とにはいずれも後端縁が開放された矩形状の開口部７が形成されている（図６、図１２参照）。各側板１２の後端部にはそれぞれ上下３本の取付フレーム１６ａ〜１６ｃが固着される。すなわち、上下の取付フレーム１６ａ，１６ｃの間に中央部の取付フレーム１６ｂが介装される。図８および図１２に示す上下の取付フレーム１６ａ，１６ｃは、図９および図１０に示す中央部の取付フレーム１６ｂよりも前後幅が大きく、前部が取付フレーム１６ｂの前縁よりも前方に突出する。
【００１３】
ところで、両側板１２の間であって取付フレーム１６ｂの前方には、取付フレーム１６ａの下面に後部が当接する棚板１７ａと、取付フレーム１６ｃの上面に後部が当接するカウンタ１７ｂとが取り付けられる。つまり、箱本体１の上板１３と下板１４との間は棚板１７ａとカウンタ１７ｂとにより上下３個の収納室２ａ〜２ｃに仕切られている。この構成により、上板１３との棚板１７ａとの間に収納部２ａが形成され、両棚板１７ａとカウンタ１７ｂとの間に収納部２ｂが形成され、カウンタ１７ｂと下板１４との間に収納部２ｃが形成される。棚板１７ａおよびカウンタ１７ｂの後面と取付フレーム１６ｂとの間には、収納部２ｂの背板２２ｂの一部が挟持される。つまり、収納部２ｂの背板２２ｂはねじのような固定具を用いることなく箱本体１に取着され、背板２２ｂが露出しても外観を損なうことがない。図１１に示すように、取付フレーム１６ｃの上端部前方にはカウンタ１７ｂの下面に当接する左右一対のカウンタ受け１８ａが設けられ、両カウンタ受け１８ａの前端間には戸当たり板１８ｂが固着される。さらに、戸当たり板１８ｂの前面には戸当たり板１８ｂの下端部を残して化粧板１８ｃが重ね合わされる。
【００１４】
一方、収納部２ａ，２ｃにはそれぞれ収納部２ａ，２ｃの前面を開閉する扉２１ａ，２１ｃが設けられる。すなわち、扉２１ａ，２１ｃは周知構造の蝶番（いわゆる、スライド蝶番）を用いて箱本体１に取着され、収納部２ａ，２ｃの前面を閉塞する位置と開放する位置との間で開閉自在になっている。扉２１ｃは収納部２ｃを閉じた状態において上端部が戸当たり板１８ｂの下端部に当接し、この状態において化粧板１８ｃはカウンタ１７ｂと扉２１ｃとの間に露出する。化粧板１８ｃの左右方向の一端部にはスイッチＳＷが設けられる。このスイッチＳＷは棚板１７ａの中央部に設けた照明器具ＬＭの点灯・消灯を行うものである。
【００１５】
収納部２ａに対応する取付フレーム１６ａには、収納部２ａの背板２２ａの左右両側部が、図１３に示す構成の取付ねじ１９ａを用いて取着される。取付ねじ１９ａはタッピンねじであって、背板２２ａを通して取付フレーム１６ａに取付ねじ１９ａを螺入した後に、ねじ頭には合成樹脂製の化粧キャップ１９ｂが取着され、取付ねじ１９ａが目立たないように隠される。同様にして、収納部２ｃにおいても取付フレーム１６ｃに背板２２ｃが取付ねじ１９ａを用いて取着される。収納部２ａ，２ｃにおいては背板２２ａ，２２ｃが、上下一対のプレート板２３と、両プレート板２３の間に配置されたＨ字状の取付板２４との３部材により形成されている。したがって、プレート板２３と取付板２４の一部との間には、背板２２ａ，２２ｃの前後の空間を連通させる各２個ずつの通し孔２５が形成される。
【００１６】
上述した構成から明らかなように、各収納部２ａ〜２ｃの背板２２ａ〜２２ｃと造営物ＷＬとの間には隙間が形成され、隙間の前後方向における寸法は収納部２ａ〜２ｃによって異なるが、箱本体１の上下方向の全長に亘って連続している。本発明ではこの隙間を配線スペースＳＰとして用いるのであって、箱本体１が実質的に床面ＦＬと天井面ＣＬとの間の全長に亘って設けられているから、配線スペースＳＰもまた実質的に床面ＦＬと天状面ＣＬとの間の全長に亘って形成されていることになる。
【００１７】
図１に示すように、収納部２ａの取付板２４には分電盤３が取り付けられ、収納部２ｃの取付板２４には情報盤４が取り付けられる。分電盤３は内器として主幹開閉器や分岐開閉器を内蔵し、情報盤４は内器として、電話線に接続されるＤＳＵ、ＴＶ用のブースタ、ＷＡＮに接続するためのモデムないしルータ、屋内のＬＡＮを構築するためのハブないし無線ＬＡＮ用のアクセスポイントなど、種々の情報用機器が内蔵可能になっている。情報盤４を用いることによって宅内に引き込まれる各種の情報線Ｌｉを一箇所で集中的に管理することが可能になる。このように扉２１ａ，２１ｃを備える収納部２ａ，２ｃに分電盤３および情報盤４を収納したことによって、常時は扉２１ａ，２１ｃを閉じておけば分電盤３や情報盤４が室内側に露出することがなく、室内の外観が損なわれるのを防止することができる。また、分電盤３や情報盤４の操作ないし点検が必要であれば扉２１ａ，２１ｃを開放することによって容易に作業することができる。
【００１８】
分電盤３の内器に接続される電源線Ｌｐ（図１４参照）および情報盤４の内器に接続される情報線Ｌｉ（図１４参照）は通し孔２５を通して背板２２ａ，２２ｃの後面側である配線スペースＳＰに引き出される。ここに、図１４に示すように、構造駆体（スラブなど）ＳＢに吊りボルトＶＣによって天井パネルＣＰを吊設した二重構造の天井では電源線Ｌｐを天井内に配線すればよく、構造駆体（床下地など）ＳＢの上に支持脚ＦＦを介して床パネルＦＰを載設した二重構造の床では情報線Ｌｉを床内に配線すればよい。配線スペースＳＰから天井内への電源線Ｌｐは箱本体１の上端部に設けた開口部７に通し、配線スペースＳＰから床内への情報線Ｌｉは箱本体１の下端部に設けた開口部７に通す。このように電源線Ｌｐおよび情報線Ｌｉを配線スペースＳＰに通し、かつ開口部７を通して天井ないし床に導くから、天井からの立ち下げ配線や床からの立ち上げ配線を外部に露出させることなく分電盤３および情報盤４に接続することができる。ここに、最上段の収納部２ａに分電盤３を収納しているから天井からの配線を大きく引き回すことなく分電盤３に接続することができ、また最下段の収納部２ｃに情報盤４を収納しているから床下からの配線を大きく引き回すことなく情報盤４に接続することができる。
【００１９】
ところで、図１５に示すように、配線スペースＳＰの上端部と下端部とには両側板１２間に取付桟６が架設され、両取付桟６の間にはセパレート板５が取着される。セパレート板５は絶縁材料からなり配線スペースＳＰを左右２室に分離する目的で用いられる。一般に電源線Ｌｐと情報線Ｌｉとは、クロストークの増加を抑制するなどの目的で混触を防止することが要求されるから、セパレート板５を設けることによって、図１６に示すように、分電盤３に接続された電源線Ｌｐ（図１４参照）を配線する配線室Ｒｐと、情報盤４に接続された情報線Ｌｉ（図１４参照）を配線する配線室Ｒｉとに分離するのである。セパレート板５は取付桟６を通してセパレート板５に螺合するビス（図示せず）によって取付桟６に固定され、セパレート板５の取付桟６への取付位置は電源線Ｌｐと情報線Ｌｉとの配線量に応じて適宜に設定される。つまり、情報線Ｌｉの占有スペースが電源線Ｌｐよりも多いときには図１６に示すように、配線室Ｒｉが配線室Ｒｐよりも広くなるようにセパレート板５を取り付け、情報線Ｌｉの占有スペースが電源線Ｌｐよりも少ないときには図１７に示すように、配線室Ｒｉが配線室Ｒｐよりも狭くなるようにセパレート板５を取り付ければよい。
【００２０】
施工に際しては、分電盤３や情報盤４を壁面ＭＲに露出させていた従来構成では、壁面ＭＲを形成する壁パネルの施工前に分電盤３や情報盤４への配線を壁内に通し、壁パネルの施工後に壁パネルから引き出した配線を分電盤３や情報盤４に接続し、クロスを施工してから分電盤３や情報盤４を壁パネルに固定していたから、建築工事と電気工事とを交互に行う必要があった。これに対して、本参考例の構成を採用すれば、分電盤３や情報盤４への配線の接続と分電盤３や情報盤４の箱本体１への固定とは施工工程のどの段階でも一括して行うことが可能になるから、建築工事と電気工事とを交互に行う必要がなくなり、施工工程の効率化を図ることができる。
【００２１】
（実施の形態）
本実施形態は、図１８に示すように、参考例とはセパレート板５を取付桟６に結合する構造が異なるものである。すなわち、参考例ではセパレート板５を取付桟６に対してビスによって固定していたのに対して、本実施形態では、図１８（ｂ）のような形状の取付金具８を用いる。取付金具８は、取付桟６に跨る断面形状のガイド部８ａを備え、ガイド部８ａの一端からセパレート板５の上面または下面に重なる固定片８ｂが延設される。図示例では取付桟６の断面形状が矩形状であるからガイド部８ａは断面コ字状に形成されている。しかして、ガイド部８ａを上下の各取付桟６に跨らせた状態で、上下の各取付金具８の固定片８ｂをセパレート板５の上面と下面とにそれぞれビスのような固定具によって固定すると、セパレート板５は取付桟６の長手方向に移動可能になり、セパレート板５の位置を調節することが可能になる。セパレート板５の位置を固定する必要があれば、ガイド部８ａを通して取付桟６にビスを螺合させればよい。他の構成および機能は参考例と同様である。
【００２２】
なお、上述した実施形態では最上段の収納部２ａに分電盤３を収納するとともに最下段の収納部２ｃに情報盤４を収納した例を示したが、図１９に示すように、最上段の収納部２ａに情報盤４を収納するとともに最下段の収納部２ｃに分電盤３を収納してもよい。また、図２０に示すように最上段の収納部２ａにのみ分電盤３あるいは情報盤４のみを収納したり、図２１に示すように最下段の収納部２ｃにのみ分電盤３あるいは情報盤４のみを収納してもよい。加えて、天井および床として二重構造の天井および床を例示したが、構造駆体に天井パネルを貼り付けた直天井や構造駆体に床パネルを直接貼り付けた直床であっても本発明の技術思想は適用可能である。さらに、天井と床との一方が二重構造であり他方が二重構造ではない場合でもよいのはもちろんのことである。
【００２３】
【発明の効果】
請求項１の発明は、床面と天井面との間に立設される箱本体の上部および下部に分電盤を収納するとともに、分電盤を収納した収納部には扉を設けて分電盤を隠しているから、分電盤が室内に露出することがなく、室内の外観を保つことができる。しかも、分電盤の操作に際しては扉を開けばよいから、分電盤の操作性を損なうことがない。加えて、床面と天井面とのいずれかに近い収納部に分電盤が収納されていることによって、天井配線または床下配線と分電盤との距離を短くすることができ配線の引き回しが容易になるという利点がある。さらに、収納部の背板が造営物との間に箱本体の上下方向の全長に亘る配線スペースを形成しているから、分電盤に接続する配線を配線スペースに収納することによって、配線の立ち上げまたは立ち下げを容易に行うことができるとともに、配線が室内側に露出することがなく、美麗な外観に仕上げることができるという利点がある。
【００２４】
また、分電盤の一方を電力用とし他方を情報用としているから、宅内に引き込まれる電源線と情報線とをともに一箇所で集中的に管理することが可能になる。
【００２５】
さらに、分電盤に接続された電源線と情報盤に接続された情報線とがセパレート板を介して絶縁され、配線スペースの中での電源線と情報線との混触を防止してクロストークの増加を抑制することができるという利点がある。
【００２６】
しかも、セパレート板を取付桟に対して左右方向の所望位置に取付可能としているから、電源線と情報線とが配線スペースに占める割合に応じてセパレート板の位置を調節することによって、電源線と情報線との配線量の多寡に対応することができるという利点がある。
【００２７】
請求項２の発明は、請求項１の発明において、前記配線スペースの上端面と下端面との少なくとも一方に通線用の開口部が形成されているので、配線スペースの内部配線を開口部７に通して天井配線もしくは床下配線と接続することができ、天井配線もしくは床下配線への接続が容易になるという利点がある。
【図面の簡単な説明】
【図１】  本発明の参考例を示す縦断面図である。
【図２】  同上の正面図である。
【図３】  同上の平面図である。
【図４】  同上の分電盤および情報盤を外した状態の縦断面図である。
【図５】  同上の分電盤および情報盤を外した状態の正面図である。
【図６】  同上の分電盤および情報盤を外した状態の平面図である。
【図７】  同上の外観斜視図である。
【図８】  図５中Ｂ−Ｂ線断面図である。
【図９】  図５中Ｃ−Ｃ線断面図である。
【図１０】  図５中Ｄ−Ｄ線断面図である。
【図１１】  図５中Ｅ−Ｅ線断面図である。
【図１２】  図５中Ｆ−Ｆ線断面図である。
【図１３】  同上に用いる取付ねじを示す斜視図である。
【図１４】  同上の施工状態を示し、（ａ）は正面側の概略構成図、（ｂ）は側面側の概略構成図である。
【図１５】  同上の後面側の分解斜視図である。
【図１６】  同上の後面側の斜視図である。
【図１７】  同上の後面側の斜視図である。
【図１８】  （ａ）（ｂ）はそれぞれ本発明の実施の形態を示す要部斜視図である。
【図１９】  他の構成例の施工状態を示し、（ａ）は正面側の概略構成図、（ｂ）は側面側の概略構成図である。
【図２０】  さらに他の構成例の施工状態を示し、（ａ）は正面側の概略構成図、（ｂ）は側面側の概略構成図である。
【図２１】  別の構成例の施工状態を示し、（ａ）は正面側の概略構成図、（ｂ）は側面側の概略構成図である。
【符号の説明】
１  箱本体
２ａ〜２ｃ  収納部
３  分電盤
４  情報盤
５  セパレート板
６  取付桟
７  開口部
２１ａ，２１ｃ  扉
２２ａ〜２２ｃ  背板
ＣＬ  天井面
ＦＬ  床面
Ｌｉ  情報線
Ｌｐ  電源線
Ｒｐ，Ｒｉ  配線室
ＳＰ  配線スペース
ＷＬ  造営物
【図１】
0004325144.tif 000002
【図２】
0004325144.tif 000003
【図３】
0004325144.tif 000004
【図４】
0004325144.tif 000005
【図５】
0004325144.tif 000006
【図６】
0004325144.tif 000007
【図７】
0004325144.tif 000008
【図８】
0004325144.tif 000009
【図９】
0004325144.tif 000010
【図１０】
0004325144.tif 000011
【図１１】
0004325144.tif 000012
【図１２】
0004325144.tif 000013
【図１３】
0004325144.tif 000014
【図１４】
0004325144.tif 000015
【図１５】
0004325144.tif 000016
【図１６】
0004325144.tif 000017
【図１７】
0004325144.tif 000018
【図１８】
0004325144.tif 000019
【図１９】
0004325144.tif 000020
【図２０】
0004325144.tif 000021
【図２１】
0004325144.tif 000022